(57)【要約】【課題】抽斗収納部を所望のサイズに区画することができる仕切板の保持構造及びその保持レールを提供する。【解決手段】仕切板および保持部材を抽斗収納部と別体で形成し、抽斗収納部および仕切板に工夫を施すことで、仕切板の保持を良好にする。抽斗の周壁のうち対向する周壁間に差し渡された縦仕切板８と、縦仕切板８の両端を係合保持する第１の保持レール１０の裏面にゴム状弾性体１４を取り付け、縦仕切板８を対向する周壁３，４間で弾性的に保持する。また、横仕切板９の両端部を保持する第２の保持レールの裏面に係合ピン１８を形成し、この係合ピン１８を縦仕切板８の複数の係合孔１２のうちから一つの係合孔１２を選択して係合させる。【選択図】図１
0003097395.tif 000002
【実用新案登録請求の範囲】
【請求項１】
抽斗収納部を複数に区画する仕切板の両端部を上方から挿入自在でかつ上下方向にスライド自在に係合保持するレール本体と、該レール本体の裏面に配置され抽斗の周壁のうち対向する周壁に弾性的に接触するゴム状弾性体とを備えたことを特徴とする仕切板保持レール。
【請求項２】
前記レール本体は、上方からみて断面コ字形に形成され、そのコ字形のレール溝に仕切板の端部が係合保持されることを特徴とする請求項１に記載の仕切板保持レール。
【請求項３】
抽斗収納部を複数に区画する仕切板の両端部を上方から挿入自在でかつ上下方向にスライド自在に係合保持するレール本体と、該レール本体の裏面に形成され、抽斗収納部の周壁及び仕切板に形成された係合孔に係合可能な係合ピンとを備えたことを特徴とする仕切板保持レール。
【請求項４】
抽斗の周壁のうち対向する周壁間に差し渡された仕切板と、前記対向する抽斗周壁の内面に配設された保持レールとを備え、前記保持レールは、前記仕切板の両端部を上方から挿入自在でかつ上下方向にスライド自在に係合保持するレール本体と、該レール本体の裏面に配置され抽斗の周壁のうち対向する周壁に弾性的に接触するゴム状弾性体とを備え、仕切板を対向する周壁間で弾性的に保持することを特徴とする仕切板の保持構造。
【請求項５】
抽斗収納部を周壁及び前記抽斗収納部を複数に区画する仕切板の長さ方向に間隔をおいて形成された複数の保持レール係合孔と、該係合孔に係脱自在に係合して仕切板を保持する保持レールとを備え、前記保持レールは、仕切板の両端部を上方から挿入自在でかつ上下方向にスライド自在に係合保持するレール本体と、該レール本体の裏面に形成され前記係合孔に係合可能な係合ピンとを備え、前記保持レールは、その係合ピンを前記複数の保持レール係合孔のうちから一つの係合孔を選択して該係合孔に係合することを特徴とする仕切板の保持構造。
【請求項６】
前記仕切板の両面に前記係合孔が形成されたことを特徴とする請求項５に記載の仕切板の保持構造。
【請求項７】
請求項５又は６に記載の仕切板の保持構造において、区画された収納領域に、両側に保持レールの上方から遊嵌可能な嵌合凹部が形成された包丁置き、調味料入れ等の収納体が収容され、前記仕切板の保持レールが係合されていない係合孔を利用して、該係合孔に前記保持レールが係合されて前記収納体の位置決め手段とされたことを特徴とする仕切板の保持構造。
【考案の詳細な説明】
【０００１】
【考案の属する技術分野】
本考案は、抽斗の仕切板の保持構造及びこれに使用される保持レールに関するものである。
【０００２】
【従来技術】
従来の抽斗においては、その収納部を仕切るために、複数の収納区画に仕切られた抽斗トレイを抽斗収納部に取り付けるようにするか、又は、特許文献１に示すように、抽斗トレイ自体を仕切るために、トレイ本体内を左右に２分割する中央仕切体をトレイ本体と一体に突設すると共に、該中央仕切体の一側端部とトレイ本体の前板部との間に別体の小仕切体を挿入するようにし、複数の区画を所望の大きさに区画できるようにしている。
【０００３】
【特許文献１】特開２００２−２３８６８５号（要約参照）
【０００４】
【考案が解決しようとする課題】
しかし、特許文献１の抽斗トレイは、抽斗そのものを区画するものではないため、抽斗の収納部の大きさに合せた抽斗トレイを用意しなければならず、その分多種類の抽斗トレイを用意しなければならない難点がある。
【０００５】
従って、抽斗の収納部そのものを利用して仕切板によって、自由な区画に仕切ることができる仕切構造の出現が望まれるところである。
【０００６】
本考案は、上記課題に鑑み、抽斗収納部を所望のサイズに仕切ることができる抽斗の仕切板の保持構造及びこれに使用される保持レールの提供を目的としている。
【０００７】
【課題を解決するための手段】
上記目的を達成するため、本考案においては、まず、仕切板および保持部材を抽斗収納部と別体で形成し、抽斗収納部および仕切板に工夫を施すことで、仕切板の保持を良好にするものである。
【０００８】
まず、仕切板をスライド自在に保持する保持レールについて述べると、本考案に係る仕切板保持レールは、抽斗収納部を複数に区画する仕切板の両端部を上方から挿入自在でかつ上下方向にスライド自在に係合保持するレール本体と、該レール本体の裏面に配置され抽斗の周壁のうち対向する周壁に弾性的に接触するゴム状弾性体とを備えたことを特徴としている。
【０００９】
この構成によると、仕切板を上方から着脱自在に挿入できるので、仕切板位置の変更などが容易に行えることになる。また、仕切板の端面が係合したレール本体を抽斗収納部の対向する周壁間に挿入すると、レール本体の裏面にあるゴム状弾性体が抽斗収納部の周壁を押圧するように弾接し、仕切板位置を所望の位置に保持することができる。
【００１０】
レール本体と仕切板との係合は、仕切板側の溝にレール本体側の突起を係合する手法であってもよいが、極力仕切板側の加工を少なくするためには、レール本体に仕切板の端部を嵌合する溝を形成する方がよい。つまり、レール本体は、上方からみて断面コ字形に形成され、そのコ字形のレール溝に仕切板の端部を係合保持する構成が好ましい。
【００１１】
また、保持レールの別の態様としては、抽斗収納部を複数に区画する仕切板の両端部を上方から挿入自在でかつ上下方向にスライド自在に係合保持するレール本体と、該レール本体の裏面に形成され、抽斗収納部の周壁及び仕切板に形成された係合孔に係合可能な係合ピンとを備えた構成も採用することができる。
【００１２】
この構成によると、周壁と仕切板間とを仕切る長さの短い小仕切板の保持構造として好適な仕切板保持レールを提供することができる。この場合、仕切板あるいは周壁に間隔をおいて形成した複数の係合孔のうちから選択した係合孔にレール本体裏面の係合ピンを挿入するだけで保持レールを周壁あるいは仕切板に簡単に取り付けることができ、その後、レール本体に仕切板を挿入してスライドさせれば、仕切板を保持することができる。
【００１３】
このような係合孔は、仕切板の片面側に形成するだけでなく、仕切板の両面に形成したものであってもよい。これにより、仕切板の両面に保持レールを取り付けることができ、使い勝手が良好となる。
【００１４】
さらに、このような仕切板の保持構造を利用して、区画された収納領域に、両側に保持レールの上方から遊嵌可能な嵌合凹部が形成された包丁置き、調味料入れ等の収納体を収容することができる。すなわち、仕切板の保持レールが係合されていない係合孔を利用して、該係合孔に保持レールを係合保持させ、この保持レールを回避させるように収納体の嵌合凹部を嵌入すれば、収納体が保持レールによって、区画内を移動するのを阻止する位置決め手段と機能し、保持レールの利用形態を拡張することができる。
【００１５】
【考案の実施の形態】
以下、本考案に実施形態を図面に基づいて説明する。図１は本考案に係る抽斗仕切構造を示す一部分解斜視図、図２は同じく第１の保持レールの構造を示す拡大斜視図、図３は同じく縦仕切板の両側に第１の保持レールを保持させた状態を示す抽斗の平面図、図４は本考案に係る第２の保持レールの仕切板への取付け状態を示す分解斜視図である。
【００１６】
図に示すように、抽斗１の収納部２は、前板３、後板４、左右両側板５，６、および底板７から上開放箱形に形成されたもので、前後板３，４および左右両側板５，６が周壁を構成している。
【００１７】
この収納部２に、複数の区画に仕切る縦仕切板８と、縦仕切板間に差し渡された小片からなる横仕切板９と、これら仕切板８，９を収納部の周壁および仕切板８に保持する第１の保持レール１０および第２の保持レール１１とが設けられている。
【００１８】
縦仕切板８および横仕切板９は、所定厚み（例えば５ｍｍ〜１０ｍｍ程度）の平板状に形成されたものであり、その素材は特に限定されるものではないが、合成樹脂と木粉とを混合して圧縮成形した板材を使用すれば、低コストでありながら、表面に木目模様を施された仕切板を提供することができる。この縦仕切板８および周壁のうち左右の側板５，６には、上下に２個でかつ縦仕切板８の長さ方向に間隔をおいて複数の保持レール係合孔１２が仕切板８を貫通して形成されている。
【００１９】
第１の保持レール１０は、図２に示すように、合成樹脂によって成形されたものであって、例えば縦仕切板８の両端部を上方から挿入自在でかつ上下方向にスライド自在に係合保持する断面コ字形のレール本体１３と、該レール本体１３の裏面に接着剤などで貼着配置され抽斗１の周壁のうち対向する周壁（例えば、前板３と後板４）の内面に弾性的に当接するゴム状弾性体１４とを備え、例えば縦仕切板８を対向する周壁３，４間で弾性的に保持するようにしている。
【００２０】
レール本体１３は、上方からみて断面コ字形に形成され、そのコ字形のレール溝１３ａに仕切板８の端部を上方から挿入し、レール溝をスライドさせて係合保持するようになっている。
【００２１】
ゴム状弾性体１４は、図２に示すように、直方体状に形成されている。但し、この形状は特に限定されるものではない。また、ゴム状弾性体１４は、レール本体の裏面の大きさに合せて１個または複数個を貼着されている。但し、ゴム状弾性体１４の配設手段は、貼着に限るものではなく、例えば、ゴム状弾性体の裏面に係合凹部を設け、この係合凹部とレール本体の裏面側に突出する係合爪部とを係合するようにしてもよい。
【００２２】
また、縦仕切板８は、第１の保持レール１０を係合保持した状態で収納部２の周壁３，４間に無理嵌めするため、レール本体１３の上端には、図２に示すように、第１の保持レール１０を押圧しやすくするための幅広の押圧片１５を後方および／又は前方に突出させるようにしてもよい。
【００２３】
第２の保持レール１１は、図４に示すように、合成樹脂によって成形されたものであって、例えば横仕切板９の両端部を上方から挿入自在でかつ上下方向にスライド自在に係合保持するレール本体１７と、該レール本体１７の裏面に形成され、抽斗収納部２の周壁５，６及び横仕切板９に形成された係合孔１２に係合可能な係合ピン１８とを備えている。
【００２４】
レール本体１７は、上方からみて断面コ字形に形成され、そのコ字形のレール溝１７ａに横仕切板９の端部を上方から挿入し、レール溝１７ａをスライドさせて係合保持するようになっている。係合ピン１８は、レール本体の裏面に上下一対設けられ、係合孔１２への係合により位置ずれしないようになっている。
【００２５】
上記構成においては、まず、縦仕切板８の両端に第１の保持レール１０を嵌合して抽斗収納部２の前後板３，４間に押し込む。そうすると、第１の保持レール１０の裏面にあるゴム状弾性体１４が周壁の内面に弾接して縦仕切板８の周壁に沿った移動が阻止され、所望の位置に保持されることになる。
【００２６】
次に、縦仕切板８間あるいは周壁の係合孔１２に第２の保持レール１１の係合ピンを差込み、第２の保持レール１１を縦仕切板８などに取り付ける。この状態で、横仕切板９を第２の保持レール１１のレール本体１７に差し込んで保持させる。
【００２７】
このように、収納部２の周壁および仕切板８に係合孔を間隔をおいて複数形成するだけで横仕切板９の取付けを簡単に行うことができ、また、縦仕切板８は第１の保持レール１０の裏面ゴム状弾性体１４により、簡単に周壁３，４に弾接保持させることができる。
【００２８】
また、仕切板８，９によって区画された収納領域には、包丁置き、調味料入れ等の収納体２０を収容することができる。収納体２０の一例として包丁置きを収納領域に収容する例を図１に示す。この場合、収納体２０の両側に第２の保持レール１１の上方から遊嵌可能な嵌合凹部２１を形成し、縦仕切板８の第２の保持レール１１が係合されていない係合孔１２を利用して、この係合孔１２に第２の保持レール１１を係合し、この保持レール１１に収納体２０の嵌合凹部２１を嵌合することにより、前記収納体２０の縦仕切板８方向の移動が規制され、収納体２０の位置決め手段を構成することになる。
【００２９】
なお、本考案は上記実施形態に限定されるものではなく、本考案に範囲内で修正・変更を加えることができるのは勿論である。例えば、上記実施形態では、周壁間に差し渡す仕切板を縦仕切板としたが、横仕切板を長く形成して、この横仕切板を左右の周壁５，６間に差し渡す構成を採用してもよい。
【００３０】
【考案の効果】
以上の説明から明らかな通り、本考案によると、仕切板および保持部材を抽斗収納部と別体で形成し、抽斗収納部および仕切板に工夫を施すことで、仕切板の保持を良好にすることができる。
【図面の簡単な説明】
【図１】本考案に係る抽斗仕切構造を示す一部分解斜視図
【図２】本考案に係る第１の保持レールの構造を示す拡大斜視図
【図３】同じく縦仕切板の両側に第１の保持レールを保持させた状態を示す抽斗の平面図
【図４】本考案に係る第２の保持レールの仕切板への取付け状態を示す分解斜視図
【符号の説明】
１　　抽斗
２　　収納部
３　　前板
４　　後板
５，６　側板
８　　縦仕切板
９　　横仕切板
１０　　第１の保持レール
１１　　第２の保持レール
１２　　係合孔
１３　　レール本体
１４　　ゴム状弾性体
１７　　レール本体
１８　　係合ピン
【図１】
0003097395.tif 000003
【図２】
0003097395.tif 000004
【図３】
0003097395.tif 000005
【図４】
0003097395.tif 000006